(57)【特許請求の範囲】
【請求項１】
入力した画像情報・音声情報を通信媒体を介して遠隔地の情報処理装置に送信する画像・音声情報処理手段と、該情報処理装置から通信媒体を介して受信する音声情報を出力するための音声情報処理手段と、情報伝送処理手段を有する装置本体と、装置電源のオン／オフのための電源ボタンスイッチおよび前記情報の入出力操作のためのシャッター・ボタンスイッチまたは通話ボタンスイッチと、装置の動作状態表示のためのオン／オフ表示器とを備え、
前記情報伝送処理手段は、
装置の電源オフの状態で、前記電源ボタンスイッチの押下で装置の電源を投入し、装置の初期化処理を行うフェーズと、
初期化処理が終了した後、前記シャッター・ボタンスイッチまたは通話ボタンスイッチのクリックにより接続宛先へ回線接続処理、もしくは予め決められた接続宛先が指定されたときに、当該指定された宛先への回線接続処理を行うフェーズと、
前記宛先との接続処理が完了後、動画像データを圧縮処理を行って連続的に宛先の管理局側に転送するフェーズと、
前記動画像伝送状態で、前記シャッター・ボタンスイッチのクリックで静止画の画像情報を読み込み、圧縮処理を行ってその静止画データを宛先の管理局側に転送して前記動画像伝送状態に復帰するフェーズと、
前記動画伝送状態で、前記通話ボタンスイッチの押下で、前記音声情報を取り込み、圧縮処理を行ってその音声データを宛先の管理局側に転送し、通話ボタンスイッチの開放で音声送信状態を終了して前記動画像伝送状態に復帰するフェーズと、
前記動画伝送状態で、前記電源ボタンスイッチを押下すると接続中のネットワーク（回線）を切断し、電源をオフして初期状態に戻すフェーズとを有して情報伝送処理を行う携帯型情報伝送端末装置において、
前記装置本体は、
装置の異常発生の状態または異常発生に対する復旧方法を該異常発生の前記フェーズに対応させた音声メッセージ・データを格納しておくメッセージ記憶メモリ回路と、
装置の異常発生を検出したときに、該異常発生した前記フェーズを元に前記メモリ回路から対応する音声メッセージ・データを抽出し、前記音声情報処理手段を通して音声での出力を得る音声メッセージ通知処理手段とを備えたことを特徴とする携帯型情報伝送端末装置。
【請求項２】
前記メモリ回路は通常時の装置動作状態に対応させた音声メッセージ・データを格納しておき、前記音声メッセージ通知処理手段は、オペレータが前記各フェーズ別に前記スイッチの操作によって状態通知要求を出した時点の装置動作状態を元に前記メモリ回路から対応する音声メッセージ・データを抽出し、前記音声情報処理手段を通して音声での出力を得る構成にしたことを特徴とする請求項１に記載の携帯型情報伝送端末装置。
【請求項３】
前記装置本体は、前記電源ボタンスイッチの操作時間の違いで電源オン／オフ操作と前記状態通知要求とを切替える手段を備えたことを特徴とする請求項２に記載の携帯型情報伝送端末装置。
【発明の詳細な説明】
【０００１】
【発明の属する技術分野】
本発明は、ディジタル化された画像や音声の情報を、遠隔地にある情報装置に伝送するための携帯型情報伝送端末装置に関わるものである。
【０００２】
【従来の技術】
現在、携帯電話（ＰＤＣ：Portable  Digital  Cellular：登録商標）や、ＰＨＳ（Personal  Handy-Phone  System：登録商標）の普及によって、モバイル通信が華やかである。その様な中において、これらの通信媒体を利用し、画像データや音声データを圧縮して遠隔地にある情報処理装置（パソコンなど）に伝送し、現場の状況を報告するための携帯型情報伝送端末装置が知られている。
【０００３】
この携帯型情報伝送端末装置の主たる伝送情報は画像データと音声データであり、現場の映像を画像処理して伝送する機能および現場と音声による情報交換を行うのが一般的である。この携帯型情報伝送端末装置の使用形態を図７に示す。
【０００４】
図７において、１００が入力された画像情報と音声情報を圧縮処理して伝送するための携帯型情報伝送端末装置の本体、２００が伝送された画像情報を受信して処理するための管理局側の情報処理装置（パソコンなど）の本体である。
【０００５】
また、同図において、３０１は、画像情報を入力するためのカメラ装置（ビデオ・カメラや、ディジタル・スチル・カメラなど）、３０２は音声情報を入力するためのマイクロフォン、３０３は管理局側から送られてきた音声情報を音声として出力するためのスピーカである。ここでは、３０２のマイクロフォンと３０３のスピーカは、一体になって頭部に装着できるヘッドセットを例に採っている。
【０００６】
また、同図において、４００は情報の伝送媒体である通信網（ＰＤＣ、ＰＨＳ、アナログ電話、ＬＡＮなど）を示す。また、５０１は受信した画像情報を表示するための画像出力装置（ＣＲＴ、ＬＣＤ、ビデオ・モニタなど）、５０２は管理局側の音声を入力するためのマイクロフォン、５０３は端末側から送られてきた音声を再生するためのスピーカである。この場合も、５０２のマイクロフォンと５０３のスピーカは、一体になって頭部に装着できるヘッドセットを例に採っている。
【０００７】
図７において、遠隔地に赴いた操作員は、図に示すような体勢で、３０１のカメラから画像情報を入力し、これを１００の携帯型遠隔情報伝送端末において、圧縮処理して伝送する。この情報は、４００の伝送媒体（通信網）によって遠隔地に送られるので、管理局側では、これを通信網を介して受信し、２００の情報処理装置にて伸長処理して元の画像情報に再生し、この情報を５０１の表示装置に表示する。
【０００８】
更に、この様な装置では、現場と管理局との間で、音声情報の交換ができる。この場合は、１００の携帯型情報伝送端末と、２００の情報処理装置との間で、双方向の音声圧縮と伸張処理を相互に行うことによってこの機能を実現する。
【０００９】
さて、この様な、携帯型情報伝送端末装置（１００）の例として、図８、および図９に示すものがある。
【００１０】
両図において、１００ａは本装置の操作を行うスイッチや表示を集めた操作パネル部、１００ｂは本装置と外部機器との電気的接続（コネクタ）部分を集めた外部インターフェース・パネル部、１００ｃは外部インターフェース不使用時にインターフェース部を保護するための保護用蓋、１００ｄは本装置をベルトに実装するためのベルト・フック、１００ｅは本装置を肩掛けで使用する場合のストラップを保持するためのストラップ・フックである。
【００１１】
前記の通り、この装置は、屋外の遠隔地から無線などを介して情報を伝送するための端末装置であり、特に施設、設備の保守点検、工事や災害現場などの状況監視などに用いる必要性から、標準的に屋外で使用されるものである。
【００１２】
【発明が解決しようとする課題】
前記のような携帯型情報伝送端末については、様々な形態の製品が存在するが、大きく分けると汎用のモバイル・パソコンをそのまま端末に利用する場合と、図８の装置のように専用の端末とする場合とがある。
【００１３】
前者の場合は、もともとＬＣＤパネルと入力用のキーボードなどが装置に付属しているので、装置のソフトウェアによって、設定入力用の画面を表示し、設定モード時にこの画面を見ながらキーボード操作などで、目的とする情報を装置に与えることができる。また、このＬＣＤパネルは、装置の状態表示用として使用できるので、異常発生時の異常内容の通知や、通常動作時においても装置の実行状況の監視用としてこれを利用することができる。
【００１４】
しかし、汎用のモバイル・パソコンは、特定の処理を行うために、様々な操作処理を繰り返し行わなければならず、現場において迅速性が要求される専用の処理には不向きである。つまり、操作が複雑で現場向きでない端末になる。
【００１５】
一方、後者の専用端末装置の場合については、通常操作に必要な最低限の操作ボタンと、ＬＥＤ表示機能しか持たないのが理想である。専用端末装置における課題は、小型化、低価格化、低消費電力化（電池による長時間駆動）と言った点にあるが、これに加えて現場での使用に合わせて、操作の簡易性、堅牢性と言った点が求められる。
【００１６】
そのため、前者のようなＬＣＤパネルは装備しないことが一般的である。これにより、少数のＬＥＤ表示器しか搭載しないこのタイプの装置では、ＬＣＤパネルを用いれば簡単になる装置の状態表示について、その機能を大幅に簡略化する必要性が出てくる。
【００１７】
さて、この様なニーズを鑑みて、本願出願人は、ボタンや表示機能を必要最低限まで少数化した専用端末装置において、宛先設定のためにこれらのボタンと状態表示を行う方式（音声メッセージを含む）を既に提案している（特願2000-118893）。また、他の方式として、１つの電源ボタンで装置の電源の入り／切りを安定して行う方法（ｎ秒以上の押下で動作する）を既に提案している（特願2000-159723）。
【００１８】
ここで、上記の既提案を実現した携帯型情報伝送端末の例を考えてみる。図１０に現行の携帯型情報伝送端末（図８）の操作パネル１００ａの実現例を、またその実現回路例を図１１に示す。また、この装置の一般的な操作処理フローの例を示したものが図１２である。
【００１９】
図１０において、１００ａが操作パネルの全体、１０１は電源ボタン、１０２はシャッター・ボタン、１０３は通話ボタンである。電源ボタンは電源の入／切、シャッター・ボタンは静止画の取り込みと送信、通話ボタンは通話期間中に押下するのが通常の使用法である。また、１０５ａ〜１０５ｃは動作表示（電源、静止画、通話）用のＬＥＤ、１０６、１０７は、エラー表示や充電中表示など状態表示用のＬＥＤである。同図から判る通り、本操作パネル上には、宛先設定用の専用ボタンや設定表示用の専用ＬＥＤなどは存在しない。
【００２０】
また、この操作パネル部を実現するための回路は、図１１に示す通りであるが、１１０は情報伝送端末装置の全体を制御するためのＣＰＵ、１１１はそのＣＰＵのローカルバス、１１０ａは読み出しコマンド信号（ＲＤ信号）、１１０ｂは書き込みコマンド信号（ＷＲ信号）である。また、１１２はスイッチ状態を読み込むためのＤＩ回路、１１３は表示ＬＥＤを点灯／消灯させるためのＤＯ回路である。更に、１０１は、図１０の操作パネル上にある電源ボタン、１０２はシャッター・ボタン、１０３は同じく通話ボタン、１０５ａ〜１０５ｃは動作表示ＬＥＤである。
【００２１】
ここで、図１２を用いて処理の流れを説明する。図において、楕円は処理フェーズを示し、太線の矢印は状態の遷移を示す。
【００２２】
（１）電源オフの状態で、ここからスタートする。この例では、この状態でも電源ボタンをスキャンする機能だけは動作している。電源ボタンがｎ秒以上押下されると装置の電源が投入され、初期化処理に移行する。
【００２３】
（２）装置の初期化処理を行う。
【００２４】
（３）初期化処理が済むと、接続宛先指定処理を行う。ここでは、予め記憶させてある複数の宛先の電話番号などの中から接続宛先を選択する。
【００２５】
（４）上記の（３）で指定された宛先との接続処理（ネットワークの回線接続処理）を行う。
【００２６】
（５）宛先との接続処理が完了後、装置は自動的に動画伝送状態となる。動画像データを圧縮処理を行って連続的に宛先の管理局側に転送する。この状態では、電源ボタン、シャッター・ボタン、通話ボタンがスキャンされている。
【００２７】
（６）上記の（５）の動画伝送状態で、シャッター・ボタンをクリックすると、装置は静止画の画像情報を読み込み、圧縮処理を行ってその静止画データを宛先の管理局側に転送する。静止画データ転送後、自動的に（５）の動画像伝送状態に復帰する。なお、転送する動画像または静止画像の区別は、画像伝送フォーマットのヘッダ部分に設ける静止画／動画の設定ビットで行う。
【００２８】
（７）上記の（５）の動画伝送状態で、通話ボタンを押下すると、装置は通話状態になる。この状態で、装置は音声情報を取り込み、圧縮処理を行ってその音声データを宛先の管理局側に転送する。通話ボタンを開放すると、音声送信状態を終了し、上記の（５）の状態に復帰する。
【００２９】
（８）上記の（５）の動画伝送状態で、電源ボタンをｎ秒以上押下すると装置は、接続中のネットワーク（回線）を切断し、電源をオフして初期状態に戻る。
【００３０】
このような機能により、小型、低価格、低消費電力化、簡易操作性、堅牢性という課題を満たす装置として必要な基本的な動作を実現することができる。しかし、この装置は先述のとおり、ＬＣＤ表示器などの文字表示機能を具備していないため、ＬＥＤ表示器による表示が、状態通知の限度であった。
【００３１】
しかし、装置としてより高いメインテナンス性を持たせることを考えると、実際に状態表示を必要とする状況は、装置の設定の場合の他にも、異常の発生時や、通常の動作時に数多く考えられる。
【００３２】
例えば、異常発生時には、複数のＬＥＤの点滅状態によっておおよその異常発生状況を知ることはできるが、更に詳細な状況や、復旧方法についての情報をオペレータに伝えることが求められる。
【００３３】
また、通常動作時においても、装置の状態を詳細かつ的確に伝えることが求められるが、単純なＬＥＤの点滅状態だけでは、これを実現することは難しく、オペレータもその状態を直感的に捉えることができなかった。
【００３４】
本発明の目的は、専用伝送端末装置構成にしながら、通常動作時や異常発生時に、オペレータが装置の動作状況や操作／復旧処理方法を的確に知ることができる携帯型情報伝送端末装置および情報通信システムを提供することにある。
【００３５】
【課題を解決するための手段】
本発明は、専用伝送端末装置を利用し、装置の異常発生や通常時の動作状態を音声メッセージとして出力でき、通常時の動作状態の音声メッセージ出力には電源ボタン１個による低消費電力型の装置電源オン／オフスイッチ回路を利用して、装置の動作状況を詳細かつ、的確にオペレータに通知できるようにしたもので、以下の構成を特徴とする。
【００３６】
入力した画像情報・音声情報を通信媒体を介して遠隔地の情報処理装置に送信する画像・音声情報処理手段と、該情報処理装置から通信媒体を介して受信する音声情報を出力するための音声情報処理手段と、情報伝送処理手段を有する装置本体と、装置電源のオン／オフのための電源ボタンスイッチおよび前記情報の入出力操作のためのシャッター・ボタンスイッチまたは通話ボタンスイッチと、装置の動作状態表示のためのオン／オフ表示器とを備え、
前記情報伝送処理手段は、
装置の電源オフの状態で、前記電源ボタンスイッチの押下で装置の電源を投入し、装置の初期化処理を行うフェーズと、
初期化処理が終了した後、前記シャッター・ボタンスイッチまたは通話ボタンスイッチのクリックにより接続宛先へ回線接続処理、もしくは予め決められた接続宛先が指定されたときに、当該指定された宛先への回線接続処理を行うフェーズと、
前記宛先との接続処理が完了後、動画像データを圧縮処理を行って連続的に宛先の管理局側に転送するフェーズと、
前記動画像伝送状態で、前記シャッター・ボタンスイッチのクリックで静止画の画像情報を読み込み、圧縮処理を行ってその静止画データを宛先の管理局側に転送して前記動画像伝送状態に復帰するフェーズと、
前記動画伝送状態で、前記通話ボタンスイッチの押下で、前記音声情報を取り込み、圧縮処理を行ってその音声データを宛先の管理局側に転送し、通話ボタンスイッチの開放で音声送信状態を終了して前記動画像伝送状態に復帰するフェーズと、
前記動画伝送状態で、前記電源ボタンスイッチを押下すると接続中のネットワーク（回線）を切断し、電源をオフして初期状態に戻すフェーズとを有して情報伝送処理を行う携帯型情報伝送端末装置において、
前記装置本体は、
装置の異常発生の状態または異常発生に対する復旧方法を該異常発生の前記フェーズに対応させた音声メッセージ・データを格納しておくメッセージ記憶メモリ回路と、
装置の異常発生を検出したときに、該異常発生した前記フェーズを元に前記メモリ回路から対応する音声メッセージ・データを抽出し、前記音声情報処理手段を通して音声での出力を得る音声メッセージ通知処理手段とを備えたことを特徴とする。
【００３７】
また、前記メモリ回路は通常時の装置動作状態に対応させた音声メッセージ・データを格納しておき、前記音声メッセージ通知処理手段は、オペレータが前記各フェーズ別に前記スイッチの操作によって状態通知要求を出した時点の装置動作状態を元に前記メモリ回路から対応する音声メッセージ・データを抽出し、前記音声情報処理手段を通して音声での出力を得る構成にしたことを特徴とする。
【００３８】
また、前記装置本体は、前記電源ボタンスイッチの操作時間の違いで電源オン／オフ操作と前記状態通知要求とを切替える手段を備えたことを特徴とする。
【００４０】
【発明の実施の形態】
図１は、本発明の実施形態を示す携帯型情報伝送端末装置の回路構成図である。同図において、１００は入力された画像情報と音声情報を圧縮処理して伝送するための携帯型情報伝送端末装置の本体全体、４００は情報の伝送媒体である通信網（ＰＤＣ、ＰＨＳ、アナログ電話、ＬＡＮなど）、３０１は画像情報を入力するためのカメラ装置（ビデオ・カメラや、ディジタル・スチル・カメラなど）、３０２は音声情報を入力するためのマイクロフォン、３０３は管理局側から送られてきた音声情報を音声として出力するためのスピーカである。
【００４１】
更に、同図において、１３０は、通信網を介して管理局側に本装置からの画像・音声情報を送る際、また管理局側から送られてきた情報を通信網から受信し、情報装置側に取り込む際に使用される通信インターフェース回路である。また、１１０は、装置全体の管理制御を行うと共に、装置に取り込まれてディジタル化された画像や音声の情報を圧縮処理したり、通信手段から受け取った音声情報を伸張処理したりするための制御ＣＰＵであり、１２０はそのためのプログラムを格納してあるプログラム・メモリ（ＲＯＭ）、１２１は、プログラム処理用のワーク・メモリ（ＲＡＭ）である。
【００４２】
また、同図において、１４０はＣＣＤカメラなどの画像入力装置から与えられる画像信号（ビデオ信号など）をディジタル化して入力する画像入力ディジタル化処理回路である。なお、ディジタル化処理には、画像信号から表示装置の同期用信号である同期信号を除去し、画像に関する信号である輝度信号、色信号にそれぞれ分離し、各々の信号をディジタル値に変換する。
【００４３】
１４１は入力された生の画像データを一時的に貯えるための画像データ入力バッファ・メモリ回路である。
【００４４】
一方、同図において、１５０は３０２のマイクロフォンから取り込まれた音声信号をディジタル化して取り込むための音声入力ディジタル化処理回路、１５１は入力された音声データを一時的に貯えるための音声データ入力バッファ・メモリ回路である。更に、１６０は伸張し復元された音声を再生出力するためにそのデータを一時的に格納しておくための音声データ出力バッファ機能、１６１は、音声を実際のスピーカなどから出力するための音声出力アナログ変換処理回路である。
【００４５】
以上の装置構成において、３０１の画像入力装置から取り込まれた画像情報は、１４０の画像入力ディジタル化回路でディジタル化されて１４１の画像データ入力バッファ・メモリに格納され、１１０の制御ＣＰＵによって圧縮処理されて、１３０の通信インターフェースを介して、４００の通信網に送出される。
【００４６】
また、３０２のマイクロフォンから取り込まれた音声情報は、１５０の音声入力ディジタル化回路でディジタル化されて１５１の音声データ入力バッファ・メモリに格納され、１１０の制御ＣＰＵによって圧縮処理されて、１３０の通信インターフェースを介して、４００の通信網に送出される。
【００４７】
更に、４００の通信網から１３０の通信インターフェースを介して受け取られた音声情報は、１１０の制御ＣＰＵによって伸張処理された後、一旦１６０の音声データ出力バッファ・メモリに貯えられ、順次１６１の音声出力アナログ変換回路に与えられ、３０３のスピーカに出力されて音声に変換される。
【００４８】
以上までの構成は、音声メッセージ再生機能を持たない一般の携帯型情報伝送端末部分である。更に、本実施形態の場合には、１２２のメッセージ記憶メモリ回路（ＦｌａｓｈＲＯＭなど）を持ち、このメモリ上には、圧縮された音声メッセージ情報を複数格納しておく。このような回路構成を持つ装置を使用し、異常発生時にメッセージを再生して状態や復旧処理方法をオペレータに音声メッセージとして通知する。この例を以下に詳細に説明する。
【００４９】
（１）異常発生時の音声メッセージによる通知処理
この通知処理は、メイン回路のプロセッサが自ら判断できる異常が発生した場合に、この異常発生の状態や、復旧方法を音声メッセージを用いてオペレータに通知する。この通知処理を図２に示す。
【００５０】
同図において、正常時の基本的な処理の流れは、図１２の動作処理図（フロー図）と同じである。図２では、異常の発生が考えられる処理フェーズに、エラー発生時の処理の流れを付け加えてある。それぞれのフェーズからエラーによって分岐して行われる処理は、「エラー・アナウンス」処理（プロセス）である。この処理への移行時には、エラーが発生したフェーズを示す引数を保持するものとする。
【００５１】
エラー・アナウンス処理内では、エラーの発生したフェーズを示す引数を元に、予め各種の音声メッセージをテーブル式に記憶させてあった図１における１２２のメッセージ記憶メモリ回路から、適合する音声メッセージ・データを抽出する。
【００５２】
この音声メッセージ・データは、この情報伝送端末が音声データとして、遠隔地のホスト・コンピュータ（図７、２００部）との間で授受するデータと同じアルゴリズムで、圧縮されたものとする。このエラー・アナウンス処理では、この音声メッセージのデータ列を、通常の音声データ伸長・出力処理ルーチンに流し込む。つまり、エラー時に発生する、エラー・アナウンスの音声は、通常動作時に使用されている、音声データ伸長・出力処理を用いればよく、独立した専用処理を必要としない。
【００５３】
図１における１２２のメッセージ記憶メモリ回路に予め格納される音声メッセージ・テーブルの例を図３に示す。
【００５４】
例えば、図２のフェーズ２（初期化処理）中に異常が発生したとする。この場合には、メッセージ番号１に相当する引数を保持して、「エラー・アナウンス」処理に移行すればよく、エラー・アナウンス処理内では、図３に示したメッセージ記憶メモリ回路上のメッセージ・テーブルから、メッセージ番号１のメッセージ・データを抽出し、これを「音声データ伸長・出力」処理に引き渡すことにより、「初期化中にエラーが発生しました。電源を入れ直して、最初から処理をやり直して下さい。」という音声メッセージが再生出力される。その他の各フェーズにおける異常発生時も同様である。
【００５５】
（２）通常動作時の装置状態（フェーズ）の通知処理
まず、既提案での１つの電源ボタンによる主電源オン／オフ回路の例を図４に示す。
【００５６】
同図において、１０００は、本装置のメイン回路であって主たる制御をするプロセッサなどを具備した回路である。１００１は、電池から与えられる１次ＤＣ電源「DCIN」をメイン回路の要求する２次直流電源の電圧「Vcc」に変換するためのＤＣ／ＤＣコンバータ回路であって、この回路の入り／切りを「SHUT」信号を持って行うことができる。１００２は、電源監視回路であって主電源Vccを監視し、予め定められた電位以下になるとメイン回路に対して「DCLOW」信号を与える。メイン回路はこれを初期化のためのリセット信号として使用する。更に、同図において、１１００は装置全体の電源となる電池部分である。また、１１０１は、電源ボタン（スイッチ）であって、タクトスイッチ（２極）である。
【００５７】
更に同図において、１３００は、電源電圧が高い、ＣＭＯＳの標準論理ＩＣであって、ここではＮＡＮＤ回路２個だけを利用している。１３０１〜１３０５は抵抗素子（R１〜R5）、１４０１と１４０２はコンデンサ（C1とC2）、１５０１，１５０２はトランジスタまたはＦＥＴ（TR1,TR2）である。
【００５８】
また、図中、A〜D，S，DCIN，Vcc，T1，T2は、説明をし易くするために回路中の各信号に付けた信号名称である。
【００５９】
ここで、R5とC2による積分回路は、R1を加えた時定数（R1+R5)・C2を、R2とC1による時定数R2・C1よりも小さくなるように選択する。
【００６０】
このような回路による主電源オン／オフ回路を具備し、更に電源オフ時には電源ボタン操作をメイン回路のプロセッサに割り込み通知した上、適度なノイズ除去を行うことにより、短時間の電源ボタン操作（誤操作や誤った接触などによるノイズ的なオン動作）による電源回路の誤ったオン／オフ動作を防止することができる。
【００６１】
本発明では、この回路により除去されるＨ／Ｗ的なノイズによる信号のアサート時間をｍ秒（ｍは数値）、Ｓ／Ｗ処理による電源スイッチの誤操作防止時間をｎ秒（ｎは数値）に設定するものとする。この様な回路を具備すると、電源ボタンに更なるもう１つの操作モードを与えることができる。
【００６２】
それは、電源ボタンの押下時間がノイズによるアサート時間ｍ秒よりは長く、ｎ秒未満の場合であって、装置の動作中に、このような電源ボタンの押下操作が行われた場合、その時点での装置の動作状態を音声メッセージを用いてオペレータに通知することができる。この例を以下に説明する。
【００６３】
通常動作では、音声再生機能は、ホストからの下り音声通話に使用することが基本であり、前記の異常が発生した場合の「エラー・アナウンス」を除き、装置が自動的に音声を生成する所謂音声ガイダンスについてはその有無に賛否がある。つまり、丁寧なガイダンスを行えば、より親切であってマニュアルなしでもオペレータへの操作ガイダンスが可能となる。しかし、装置を使いこなしたオペレータにとっては、毎回発声されるガイダンスを、「しつこい」「うっとうしい」「うるさい」という感覚を持たれる場合がある。つまり、「必要時以外は、ガイダンスや状態表示不要」というのが結論といえる。
【００６４】
本実施形態では、装置が各フェーズで、絶えず状態通知の音声メッセージ「状態アナウンス」を行うのではなく、通常動作の中で、オペレータが状態を知りたい場合についてのみそれを行う手段である。
【００６５】
ここで、音声メッセージ動作のトリガとなる操作はオペレータによって行われるが、専用の状態通知指令ボタン（スイッチ）を設ければ、これから物理的に割り込みを生成して「状態アナウンス」処理を行えばよいが、新たなボタン（スイッチ）を設けることは、本来の装置の目標（小型、低価格、低消費電力、簡易操作、堅牢）に反することになる。
【００６６】
そこで、ここでは、この装置に設けられた３つの操作ボタンの内、電源のオン／オフ操作にしか用いられていない「電源ボタン（スイッチ）」を、状態通知指令用のボタン（スイッチ）として兼用する。
【００６７】
電源ボタン（スイッチ）は、図４の回路を用い、通常の電源オン／オフ操作は、ｎ秒以上の連続押下によって行われるようにＨ／Ｗ、Ｓ／Ｗ処理すれば、極めて短時間なノイズ的なアサート時間ｍ秒より長く、ｎ秒以未満の押下について、別の操作モードを与えることができる。これを、状態通知指令に用いれば良い。通常ボタン（スイッチ）の押下時間はｍ≪ｎである。ｍはノイズ除去分であまり大きな値とする必要はない。つまり、ｎを比較的大きく採っておけば、一般的なクリック（連続した押し／放し操作）でこの操作を実現できる。
【００６８】
つまり、装置が電源を投入され、通常の動作（サービス）状態にある間については、電源ボタンの押下によってメイン回路のＣＰＵに割り込みを掛け、ｍ秒以上でｎ秒未満の連続押下（クリック）が行われた場合には、これをオペレータからの状態通知指令とみなして「状態アナウンス」処理を実行すれば良い。
【００６９】
この機能を、本装置に適用した場合の動作処理例を図５に示す。同図において「電源ＳＷクリック」と書かれた操作が、「電源ボタンのｍ秒以上でｎ秒未満の押下」を意味している。
【００７０】
同図に示すように、各フェーズにおいて電源ボタン（スイッチ）をクリックすることによって、そのフェーズに対応したメッセージ番号を引数として保持した上、「状態アナウンス」処理を実行する。実行後は元の処理動作に復帰する。「状態アナウンス」処理に用いられるメッセージ情報も、エラー・アナウンス処理と同様に、図１における１２２のメッセージ記憶メモリ回路上に記憶させておく。このメモリ回路上に置く、状態アナウンス用のメッセージ・テーブルの例を第図６に示す。
【００７１】
例えば、フェーズ３で、電源ボタンのクリック操作が行われた場合、メッセージ番号１２が引数として保持されて「状態アナウンス」処理が行われ、「接続先選択待ち中です。」というメッセージが再生出力される。その他の各フェーズにおける状態通知指令の発生時も同様である。但し、フェーズ７のプレストーク発生時については、能動的にオペレータが通話ボタンを押下しているため、状態通知指令は重複して操作されることはないとし、図中に図示していない。
【００７２】
【発明の効果】
以上のとおり、本発明によれば、専用伝送端末装置において、通常動作時や異常発生時に、オペレータが装置の動作状況や操作／復旧処理方法を的確に知るための手段を提供できる。
【００７３】
例えば、異常発生時にオペレータは、従来のＬＥＤのみの状態通知ではおおよその異常発生状況しか知ることができなかったものが、詳細な以上発生状況や、その復旧方法を音声メッセージで知ることができるようになる。
【００７４】
また、通常動作時においても、単純なＬＥＤの点滅状態だけでは、装置の状態を詳細かつ的確に伝えることは難しかったが、本発明では、オペレータはその状態を容易に詳細に知ることができるようになる。特に、本発明では、この状態通知の要求に対して、専用のボタン（スイッチ）を新たに設けず、通常の動作状態では電源のオン／オフ操作にしか用いられていなかった、電源ボタン（スイッチ）に別の操作モードを付加することにより、この状態アナウンスの機能を実現できる。
【図面の簡単な説明】
【図１】本発明の実施形態を示す携帯型情報伝送端末装置の回路構成。
【図２】実施形態における異常状態発生時の音声メッセージ通知処理手順。
【図３】実施形態におけるエラー・アナウンス用メッセージ・テーブルの例。
【図４】低消費電力型の主電源オン／オフ制御回路例。
【図５】実施形態における状態通知時の音声メッセージ通知処理手順。
【図６】実施形態における状態アナウンス用メッセージ・テーブルの例。
【図７】従来の遠隔情報伝送システムの使用状態図。
【図８】従来の携帯型情報伝送端末装置の概観および操作パネル部。
【図９】従来の携帯型情報伝送端末装置の外部インタフェース・パネル部。
【図１０】従来の携帯型情報伝送端末装置の操作パネルの例。
【図１１】従来の操作パネル部の回路例。
【図１２】従来の携帯型情報伝送端末装置の処理手順。
【符号の説明】
１００…装置本体
１００ａ…操作パネル
１０１…電源ボタン
１０２…シャッターボタン
１０３…通話ボタン
１０５…状態表示ＬＥＤ
１０６…エラー表示ＬＥＤ
１０７…充電中表示ＬＥＤ
１１０…制御ＣＰＵ
１２２…メッセージ記憶メモリ
【図１】
0004269499.tif 000002
【図２】
0004269499.tif 000003
【図３】
0004269499.tif 000004
【図４】
0004269499.tif 000005
【図５】
0004269499.tif 000006
【図６】
0004269499.tif 000007
【図７】
0004269499.tif 000008
【図８】
0004269499.tif 000009
【図９】
0004269499.tif 000010
【図１０】
0004269499.tif 000011
【図１１】
0004269499.tif 000012
【図１２】
0004269499.tif 000013